(57)【要約】【目的】スクラップ・ブックをあらかじめシミュレーションして作成できるようにする。【構成】利用者はコンピュータ１を用いてスクラップ・ブック・サーバ５とアクセスし，コンピュータ１の表示画面上で他人である作成者２が作成したスクラップ・ブック画像を利用して台紙画像上に写真画像，飾り画像などの部品画像を貼り付けてスクラップ・ブックを作成するためのシミュレーションを行う。シミュレーションに沿った手順書が作成される。手順書とスクラップ・ブックを実際に作成するための台紙，写真，ボタン，リボンなどの飾りとがパッケージに梱包されて利用者に宅配される。利用者はパッケージを受け取り梱包されている台紙，飾りを用いて手順書を見ながら，シミュレーションで行ったようにしてスクラップ・ブックを実際に作成する。スクラップ・ブック画像がどのように利用されたかに応じて異なるポイントを作成者２に与える。【選択図】図１
2008084268.tif 000002
【特許請求の範囲】
【請求項１】
台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信するスクラップ・ブック画像データ送信手段，
上記スクラップ・ブック画像データ送信手段からクライアント・コンピュータにスクラップ・ブック画像データが送信されたことによりクライアント・コンピュータの表示装置の表示画面に表示され，スクラップ・ブック画像が選択されたことに応じてクライアント・コンピュータから送信される選択コマンドを受信する選択コマンド受信手段，
上記選択コマンド受信手段によって選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信する編集用スクラップ・ブック画像データ送信手段，
上記編集用スクラップ・ブック画像データ送信手段からクライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信する利用態様データ受信手段，および
上記利用態様データ受信手段によって受信した利用態様データによって表されている利用態様にもとづいて，上記編集用スクラップ・ブック画像の作成者に対する使用料を決定する使用料決定手段，
を備えたスクラップ・ブック・サーバ。
【請求項２】
上記使用料決定手段は，
編集用スクラップ・ブック画像の閲覧のみが許可されており，その閲覧が行われる場合と，編集用スクラップ・ブック画像から写真画像が除かれ，その除かれた写真画像に別の写真画像を配置するシミュレーションが行われる場合，編集用スクラップ画像に含まれている部品画像を変更する，あるいは部品画像の配置位置を変更するシミュレーションが行われる場合と，編集用スクラップ・ブック画像に含まれている部品画像のうち編集用スクラップ画像の作成者が作成した部品画像を抽出し，抽出した部品画像を利用して新たにスクラップ・ブック作成のシミュレーションが行われる場合と，編集用スクラップ・ブック画像に含まれている部品画像のうち編集用スクラップ・ブック画像の作成者が作成した部品画像を抽出して新たにスクラップ・ブック作成のシミュレーションが行われる場合において，抽出された編集用画像の二次利用が許可されていると許可されていないときと，編集用スクラップ・ブック画像を利用してスクラップ・ブック作成の注文データがクライアント・コンピュータから送信される場合とでスクラップ・ブック画像の作成者に対する使用料が異なるように決定するものである，
請求項１に記載のスクラップ・ブック・サーバ。
【請求項３】
上記利用態様データ受信手段は，
編集用スクラップ・ブック画像の複数の利用態様のうち許可する利用態様と不許可の利用態様とが設定されており，許可されている利用態様でのスクラップ・ブック作成のシミュレーションにもとづいてクライアント・コンピュータから送信される利用態様データを受け付けるものである，
請求項1に記載のスクラップ・ブック・サーバ。
【請求項４】
スクラップ・ブック画像テータ送信手段が，台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信し，
選択コマンド受信手段が，上記スクラップ・ブック画像データ送信手段からクライアント・コンピュータにスクラップ・ブック画像データが送信されたことによりクライアント・コンピュータの表示装置の表示画面に表示され，スクラップ・ブック画像が選択されたことに応じてクライアント・コンピュータから送信し，
編集用スクラップ・ブック画像データ送信手段が，上記選択コマンド受信手段によって選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信し，
利用態様データ受信手段が，上記編集用スクラップ・ブック画像データ送信手段からクライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信し，
使用料決定手段が，受信した利用態様データによって表される上記編集用スクラップ・ブック画像の利用態様にもとづいて，上記編集用スクラップ・ブック画像の作成者に対する使用料を決定する，
スクラップ・ブック・サーバの制御方法。
【請求項５】
台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信させ，
クライアント・コンピュータにスクラップ・ブック画像データが送信されたことによりクライアント・コンピュータの表示装置の表示画面に表示され，スクラップ・ブック画像が選択されたことに応じてクライアント・コンピュータから送信される選択コマンドを受信させ，
選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信させ，
クライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信させ，
受信した利用態様データによって表される上記編集用スクラップ・ブック画像の利用態様にもとづいて，上記編集用スクラップ・ブック画像の作成者に対する使用料を決定させるようにスクラップ・ブック・サーバを制御するプログラム。
【請求項６】
請求項５に記載のプログラムを格納した記録媒体。
【発明の詳細な説明】
【技術分野】
【０００１】
この発明は，スクラップ・ブック・サーバならびにその制御方法およびその制御プログラムに関する。
【背景技術】
【０００２】
サーバにアクセスして，ポスト・カードに画像や飾りをつけるものがある(特許文献１)。このようなものにおいては，ユーザのコンピュータにテンプレート画像が表示され，そのテンプレート画像に飾りが付ける編集作業がユーザによって行われる。編集されたポスト・カードが所望枚数だけ印刷されて，ユーザの自宅に配達される。
【特許文献１】特開平11-53521号公報
【０００３】
しかしながら，編集されて出来上がったポスト・カードがユーザの自宅に配達されるにすぎない。ユーザが実際に，写真，リボン，ボタンなどの部品を台紙に貼り付けて作成するものとは異なる。
【０００４】
この発明は，あらかじめシミュレーションした内容に沿って，ユーザが実際に，写真，リボン，ボタンなどの部品を利用してスクラップ・ブックと呼ばれる作品を作成する場合において，他人の編集を利用したときにその使用料を決定することを目的とする。
【０００５】
この発明によるスクラップ・ブック・サーバは，台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信するスクラップ・ブック画像データ送信手段，上記スクラップ・ブック画像データ送信手段からクライアント・コンピュータにスクラップ・ブック画像データが送信されたことによりクライアント・コンピュータの表示装置の表示画面に表示され，スクラップ・ブック画像が選択されたことに応じてクライアント・コンピュータから送信される選択コマンドを受信する選択コマンド受信手段，上記選択コマンド受信手段によって選択コマンドが受信されたことにより，選択されたスクラップ・ブック画像のうちスクラップ・ブック画像に用いられている写真画像(ディジタル・スチル・カメラ等を用いて被写体が撮像されることにより得られる画像であり，クライアント・コンピュータのユーザによって撮像された画像などである。飾り画像がパーソナル・コンピュータなどを用いて作成される点で，飾り画像と異なる。)を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信する編集用スクラップ・ブック画像データ送信手段，上記編集用スクラップ・ブック画像データ送信手段からクライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信する利用態様データ受信手段，および上記利用態様データ受信手段によって受信した利用データによって表される利用態様にもとづいて，上記編集用スクラップ・ブック画像の作成者に対する使用料を決定する使用料決定手段を備えていることを特徴とする。
【０００６】
この発明は，上記スクラップ・ブック・サーバに適した制御方法も提供している。すなわち，この方法は，スクラップ・ブック画像テータ送信手段が，台紙などの部品の上に写真などの他の部品を貼り付けることにより作成されたスクラップ・ブックが撮像されて得られるスクラップ・ブック画像をクライアント・コンピュータの表示装置の表示画面に表示させるために，スクラップ・ブック画像を表わすスクラップ・ブック画像データをクライアント・コンピュータに送信し，選択コマンド受信手段が，上記スクラップ・ブック画像データ送信手段からクライアント・コンピュータにスクラップ・ブック画像データが送信されたことによりクライアント・コンピュータの表示装置の表示画面に表示され，スクラップ・ブック画像が選択されたことに応じてクライアント・コンピュータから送信し，編集用スクラップ・ブック画像データ送信手段が，上記選択コマンド受信手段によって選択コマンドが受信されたことにより，選択されたスクラップ・ブック画像のうちスクラップ・ブック画像に用いられている写真画像を除く編集用スクラップ・ブック画像をクライアント・コンピュータの表示装置の表示画面に表示させるために，編集用スクラップ・ブック画像を表わす編集用スクラップ・ブック画像データをクライアント・コンピュータに送信し，利用態様データ受信手段が，上記編集用スクラップ・ブック画像データ送信手段からクライアント・コンピュータに編集用スクラップ・ブック画像データが送信されたことにより，クライアント・コンピュータの表示装置の表示画面に表示された編集用スクラップ・ブック画像を利用して写真画像，部品画像の配置，スクラップ・ブックに使用される部品の選択などのスクラップ・ブックの作成のシミュレーションが上記クライアント・コンピュータにおいて行われたことにより上記クライアント・コンピュータから送信される，上記編集用スクラップ・ブック画像の利用態様を表すデータを受信し，使用料決定手段が，受信した利用態様データによって表される上記編集用スクラップ・ブック画像の利用態様にもとづいて，上記編集用スクラップ・ブック画像の作成者に対する使用料を決定するものである。
【０００７】
この発明は，上記スクラップ・ブック・サーバの制御方法を実施するためのプログラムおよびそのプログラムが格納された記録媒体も提供している。
【０００８】
この発明によると，台紙などの部品の上に写真などの他の部品を貼り付けることにより作成されたスクラップ・ブックが撮像されて得られるスクラップ・ブック画像を表わすスクラップ・ブック画像データがスクラップ・ブック・サーバからクライアント・コンピュータに送信される。クライアント・コンピュータの表示装置の表示画面にはスクラップ・ブック画像が表示され，表示されたスクラップ・ブック画像が選択されると，選択コマンドがクライアント・コンピュータからスクラップ・ブック・サーバに送信される。選択コマンドがスクラップ・ブック・サーバにおいて受信されると，選択されたスクラップ・ブック画像に用いられている写真画像を除く編集用スクラップ・ブック画像を表わす編集用スクラップ・ブック画像データがスクラップ・ブック・サーバからクライアント・コンピュータに送信される。クライアント・コンピュータの表示装置の表示画面には，写真画像を除く編集用スクラップ・ブック画像が表示される。クライアント・コンピュータのユーザ(利用者)は，他人(作成者)が作成した編集用スクラップ・ブック画像を用いて，写真画像，ハートの画像，ダイヤの画像などの飾り画像，リボン，ボタンなどの素材の画像などの部品画像の選択，その配置の決定など，実際のスクラップ・ブックを作成するためのシミュレーションを行うことができる。シミュレーションが行われると，クライアント・コンピュータからスクラップ・ブック・サーバに利用態様を表すデータが送信される。すると，スクラップ・ブック・サーバにおいて，編集用スクラップ・ブック画像の利用態様に応じてスクラップ・ブック画像の作成者に対する使用料が決定される。編集用スクラップ・ブック画像の利用態様に応じて使用料を異ならせることができる。
【０００９】
スクラップ・ブックを作成するための手順書をプリントし，ユーザには，手順書とシミュレーションで利用された部品画像に対応する部品（写真，飾り画像，ボタン，リボンなど）とがパッケージにされて宅配されることとなろう。ユーザは，自宅でパッケージを受け取り，パッケージに梱包されている部品を用いて手順書にしたがってスクラップ・ブックを作成できる。
【００１０】
上記使用料決定手段は，たとえば，編集用スクラップ・ブック画像の閲覧のみが許可されており，その閲覧が行われる場合と，編集用スクラップ・ブック画像から写真画像が除かれ，その除かれた写真画像に別の写真画像を配置するシミュレーションが行われる場合，編集用スクラップ画像に含まれている部品画像を変更する，あるいは部品画像の配置位置を変更するシミュレーションが行われる場合と，編集用スクラップ・ブック画像に含まれている部品画像のうち編集用スクラップ画像の作成者が作成した部品画像を抽出し，抽出した部品画像を利用して新たにスクラップ・ブック作成のシミュレーションが行われる場合と，編集用スクラップ・ブック画像に含まれている部品画像のうち編集用スクラップ・ブック画像の作成者が作成した部品画像を抽出して新たにスクラップ・ブック作成のシミュレーションが行われる場合において，抽出された編集用画像の二次利用が許可されていると許可されていないときと，編集用スクラップ・ブック画像を利用してスクラップ・ブック作成の注文データがクライアント・コンピュータから送信される場合とでスクラップ・ブック画像の作成者に対する使用料が異なるように決定する。
【００１１】
上記利用態様データ受信手段は，たとえば，編集用スクラップ・ブック画像の複数の利用態様のうち許可する利用態様と不許可の利用態様とが設定されており，許可されている利用態様でのスクラップ・ブック作成のシミュレーションにもとづいてクライアント・コンピュータから送信される利用態様データを受け付けるものである。
【実施例】
【００１２】
図１は，この発明の実施例によるスクラップ・ブック注文システムの概要を示している。
【００１３】
この実施例によるスクラップ・ブック注文システムにおいては，スクラップ・ブックを実際に作成しようとしている作成者２が自分のコンピュータ１を用いてスクラップ・ブックを作成するシミュレーションを行うことができる。作成者２は，コンピュータ１を用いてスクラップ・ブック・サーバ５にアクセスする。すると，スクラップ・ブック・サーバ５から作成者２のコンピュータ１に，スクラップ・ブックの作成シミュレーションを行うための台紙画像，写真画像，マークなどの飾り画像，リボン，ボタンなどの立体的な素材を表わす素材画像などの部品画像を表わす部品画像データが送信される。
【００１４】
作成者２のコンピュータ１において部品画像データが受信されると，その部品画像データによって表わされる部品画像を用いてコンピュータ１の表示画面上においてスクラップ・ブックの作成シミュレーションが行われる。部品画像が選択され，配置が決定されたごとに作成者２のコンピュータ１からスクラップ・ブック・サーバ５に順にレイヤ・データが送信される。
【００１５】
作成者２のコンピュータ５から送信されたレイヤ・データがスクラップ・ブック・サーバ５において受信されると，受信されたレイヤ・データにもとづいて，作成者２のシミュレーションに沿った手順書（スクラップ・ブックを実際に作成するための解説書）が作成される。また，スクラップ・ブックを作成するために必要な写真，飾り画像がプリントされ，かつリボン，ボタンなどの素材がパーツ・センタにおいて抽出される。スクラップ・ブック・センタから作成者２の自宅に，スクラップ・ブックを作成するための台紙，写真，などの部品およびスクラップ・ブックを作成するための手順書（解説書）が梱包されたパッケージが届けられる。
【００１６】
作成者は，パッケージに梱包されている部品を用いて手順書を見ながらシミュレーションで行ったようにして，台紙の上に写真，プリントされた飾り画像，リボン，ボタンなどの素材を貼り付けてスクラップ・ブックを作成する。
【００１７】
図２は，スクラップ・ブック・サーバ５の電気的構成を示すブロック図である。
【００１８】
スクラップ・ブック・サーバ５の全体の動作は，CPU12によって統括される。
【００１９】
スクラップ・ブック・サーバ５には，CD-ROM(コンパクト・ディスク-リード・オンリ・メモリ)ドライブ19が含まれている。このCD-ROMドライブ19に後述する動作を制御するためのサーバ・ソフトウェアが格納されたCD-ROM20が装填されると，そのサーバ・ソフトウェア17がハードディスク16にインストールされる。ハードディスク16には，サーバ・ソフトウェア17のほかにデータベース18が格納されている。ハードディスク16に格納されたサーバ・ソフトウェア17などはハードディスク・ドライブ15によってアクセスされる。
【００２０】
スクラップ・ブック・サーバ５には，画像を表示するための表示装置10，コマンド等を入力するためのキーボード11，データ等を一時的に記憶等するためのメモリ13，ネットワークに接続するためのネットワーク・インターフェイス14が含まれている。
【００２１】
図３から図６は，作成者２のコンピュータ１とスクラップ・ブック・サーバ５との間の処理手順を示すフローチャートである。上述のようにスクラップ・ブック作成のシミュレーションの処理手順を示している。
【００２２】
作成者２のコンピュータ１とスクラップ・ブック・サーバ５とが接続され（ステップ30），スクラップ・ブック・サーバ５において作成者５の認証が行われる（ステップ61）。認証されると（ステップ62でＹＥＳ），作成者２の編集途中のスクラップ・ブック編集画像が保存されているかどうかが確認される（ステップ63）。
【００２３】
シミュレーションにおいて作成者２のコンピュータ１の表示装置の表示画面に表示される画像がスクラップ・ブック編集画像である。シミュレーションの途中，または終了後に，そのスクラップ・ブック編集画像を表わすデータをスクラップ・ブック・サーバ５に保存することができ，保存されたスクラップ・ブック編集画像を用いてシミュレーションを行うことができる。このためにスクラップ・ブック編集画像が保存されているかどうかが確認される。保存されている場合には（ステップ63でＹＥＳ），その保存されているスクラップ・ブック編集画像データがスクラップ・ブック・サーバ５から作成者２のコンピュータ１に送信される（ステップ64）。保存されていない場合には（ステップ63でＮＯ），デフォルトのスクラップ編集画像を表わすデータがスクラップ・ブック・サーバ５から作成者２のコンピュータ１に送信される（ステップ65）。
【００２４】
作成者２のコンピュータ１においてスクラップ・ブック編集画像データが受信されると（ステップ31），コンピュータ１の表示画面にスクラップ・ブック編集画像が表示される（ステップ32）。この実施例においてはデフォルトのスクラップ・ブック編集画像が表示されるものとする。
【００２５】
図７は，作成者２のコンピュータ１の表示画面に表示されるウインドウ80の一例である。
【００２６】
ウインドウ80には，左端部に部品選択領域90，右端部にコマンド指令領域100，中央下部に部品色指定領域120および中央部部分にスクラップ・ブック編集画像表示領域130が形成されている。
【００２７】
部品選択領域90には，台紙領域91，ユーザ写真領域92，飾り領域93および素材領域94の各領域が含まれている。
【００２８】
台紙領域91は，台紙を選択する場合に作成者によってクリックされる領域である。台紙領域91がクリックされると，図８に示すように台紙領域91の下部に小ウインドウ95が現れる。現れた小ウインドウ95内には台紙のサンプルを現すサムネイルの台紙画像が表示される。小ウインドウ95の右側にはスクロール・バー96が形成されており，このスクロール・バー96が上下されることにより，小ウインドウ95内に新たなサムネイル台紙画像が現れる。小ウインドウ95に表示されているサムネイル台紙画像がクリックされることにより，台紙画像が選択されたこととなる。
【００２９】
ユーザ写真領域92は，ユーザ（作成者）の写真を選択する場合に作成者によってクリックされる領域である。ユーザ写真領域92がクリックされると，図９に示すようにユーザ写真領域92の下部に小ウインドウ95が現れる。現れた小ウインドウ95内に，ユーザ画像のサムネイル画像が表示される。小ウインドウ95内に表示されているサムネイル・ユーザ画像がクリックされることにより，ユーザ写真が選択されたこととなる。
【００３０】
飾り領域93は，飾り画像を選択する場合に作成者によってクリックされる領域である。飾り領域93がクリックされると，図10に示すように飾り領域93の下部に小ウインドウ95が現れる。現れた小ウインドウ95内に，飾り画像のサムネイル画像が表示される。小ウインドウ95内に表示されているサムネイル飾り画像がクリックされることにより，ユーザ写真が選択されたこととなる。
【００３１】
素材領域94は，ボタン，リボンなど紙以外の厚みのある素材によりできた飾りを選択する場合に作成者によってクリックされる領域である。素材領域94がクリックされると，図11に示すように素材領域94の下部に小ウインドウ95が現れる。現れた小ウインドウ95内に，素材の画像が表示される。小ウインドウ95内に表示されている素材画像がクリックされることにより素材が選択されたこととなる。
【００３２】
コマンド指令領域100には切り取り領域101，色変更領域102，拡大縮小領域103，回転領域104，上に領域105，下に領域106および戻す領域107ならびに保存領域108，決定領域109，アフィリエイト設定領域110および終了領域111が含まれている。
【００３３】
切り取り領域101は，部品の一部を切り取る場合にクリックされる領域である。切り取り領域101がクリックされた後に切り取るべき部品画像が選択され，切り取るべき部分がカーソルで指定されることにより，切り取る部分が決定される。色変更領域102は，同一の部品に複数の色がある場合に色を変更するときにクリックされる領域である。色変更領域102がクリックされた後に部品画像が選択されると，その選択された部品画像の色が変わる。もっとも，カラー・パレットが表示されるようにして，表示されたカラー・パレットの中から色を指定するようにしてもよい。拡大縮小領域103は，部品画像を拡大または縮小する場合にクリックされる領域である。拡大縮小領域103がクリックされた後に部品画像が選択されると，選択された部品画像が拡大または縮小される。拡大または縮小を指定するために拡大アイコンまたは縮小アイコンが表示されるようにしてもよい。
【００３４】
回転領域104は，部品画像を回転させる場合にクリックされる領域である。回転領域104がクリックされた後に部品画像が選択され，ドラッグされることにより部品画像が回転する。上に領域105は，下の階層にある部品画像を上の階層にするときにクリックされる。上に領域105がクリックされた後に部品画像がクリックされると，その部品画像が現在の階層よりも一つ上の階層となる。下に領域106は，上の階層にある部品画像を下の階層にするときにクリックされる。下に領域106がクリックされた後に部品画像がクリックされると，その部品画像が現在の階層よりも一つ上の階層となる。戻す領域107は，部品画像をデフォルトに戻すものである。戻す領域107がクリックされた後に部品画像が選択されると，その選択された部品画像がデフォルトの画像に戻される。
【００３５】
保存領域108は，上述したように編集したスクラップ・ブック画像を表わすデータをスクラップ・ブック・サーバ５に保存するときにクリックされる。決定領域109は，部品の選択，配置，色変更など一つの部品についての編集が決定されたごとにクリックされる。アフィリエイト設定領域110は，作成者２が作成したスクラップ・ブック編集画像を利用して第三者の利用者が利用する場合の設定を行うときにクリックされる。終了領域111は，編集が終了したときにクリックされる。
【００３６】
部品色指定領域120には，選択された部品に複数の色が割り当てられていたときに，その複数の色をもつ部品が表示される。作成者は複数の色の中から所望の色をもつ部品の画像を選択する。
【００３７】
スクラップ・ブック編集画像表示領域130は編集中のスクラップ・ブック編集画像が表示される領域である。上述したようにデフォルトのスクラップ編集画像データが作成者２のコンピュータ１に送信されると，スクラップ・ブック編集画像表示領域130には図７に示すように単なる枠131が表示される。もっとも，枠131自体も表示されなくともよい。
【００３８】
表示画面に図７に示すウインドウ80が表示されている状態において作成者２によって台紙領域91がクリックされると（図４ステップ33），小ウインドウ95に台紙画像が表示される。表示された台紙画像の中から所望の台紙画像が選択される（図４ステップ34）。図８に示すように，スクラップ・ブック画像編集領域130には選択された台紙画像132がスクラップ・ブック編集画像131として表示される。つづいて，選択された台紙画像について色変更，拡大縮小，回転等の編集が行われる（図４ステップ35）。選択された台紙画像でよければ決定領域109がクリックされる（図４ステップ36でＹＥＳ）。すると，選択された台紙画像についての編集情報等を示すレイヤ・データが作成者２のコンピュータ１からスクラップ・ブック・サーバ５に送信される（図４ステップ37）。
【００３９】
つづいて，ユーザ写真領域92がクリックされると（図４ステップ38），小ウインドウ95内にユーザ写真の画像が表示される。ユーザ写真の画像を表す画像データはあらかじめスクラップ・ブック・サーバ５に格納されており，スクラップ・ブック・サーバ５から作成者２のコンピュータ１に送信されるのはいうまでもない。小ウインドウ95に表示されているユーザ写真画像の中からユーザ写真画像が選択されると図９に示すようにスクラップ・ブック編集画像表示領域130に，選択されたユーザ写真画像133が含まれたスクラップ編集画像131が表示される。ユーザ写真画像133はドラッグされることにより所望の位置に変更される。他の部品画像についても同様である。ユーザ写真画像133についての編集が行われ（図４ステップ40），決定領域109がクリックされると（図４ステップ41），ユーザ写真画像133についてのレイヤ・データがスクラップ・ブック・サーバ５に送信される（図４ステップ42）。
【００４０】
スクラップ・ブック・サーバ５において，レイヤ・データが受信されると（ステップ66），受信したレイヤ・データが記憶される（ステップ67）。シミュレーションにおいては画像に画像を重ねるのであるから，部品の厚さに関係なくいくらでも重ねることができる。しかしながら，実際にスクラップ・ブックを作成する場合には紙の厚さやリボン，ボタンなどの素材の厚さがあるために重ねるには限界がある。このために実際のスクラップ・ブックにおいて部品が重ねられた場合の所定のしきい値以上の厚さとなるかどうかの判定処理が行われる（図４ステップ68）。厚さが所定のしきい値以上となると（図４ステップ69），警告データがスクラップ・ブック・サーバ５から作成者２のコンピュータ１に送信される（図４ステップ70）。
【００４１】
スクラップ・ブック・サーバ５から送信された警告データが作成者２のコンピュータ１において受信されると（図５ステップ43でＹＥＳ），ウインドウ80には警告文が表示され（図18参照），編集変更を指示するための領域が現れる。この編集変更領域がクリックされることにより，再び編集をやり直すことができる。
【００４２】
警告データを受信しない（図５ステップ43でＮＯ），あるいは警告データを受信しても編集を変更しない場合には（図５ステップ44でＮＯ），飾り領域93がクリックされる（図５ステップ45でＹＥＳ）。小ウインドウ95の中から飾り画像が選択され（図５ステップ46），選択された飾り画像が図10に示すようにスクラップ・ブック画像に表示される。選択された飾り画像が編集される（図５ステップ47）。決定領域109がクリックされると（図５ステップ48でＹＥＳ），選択された飾り画像についてのレイヤ・データがスクラップ・ブック・サーバ５に送信される（図５ステップ49）。コンピュータ１において警告データが受信されず（図５ステップ50でＮＯ），あるいは警告データが受信された場合でも編集が変更されない場合には（図５ステップ51でＮＯ），素材領域94がクリックされる（図６ステップ52）。
【００４３】
小ウインドウ95の中から素材が選択され（図６ステップ53），図11に示すように選択された素材画像がスクラップ・ブック編集画像131に表示される。選択された素材画像が編集され（図６ステップ54），決定領域109がクリックされると（図６ステップ55），レイヤ・データがスクラップ・ブック・サーバ５に送信される（ステップ56）。終了領域111がクリックされなければ部品の編集が続行される（図６ステップ59）。たとえば，図12に示すように，飾り画像136が飾り画像134を隠し，かつ素材画像135および写真画像133と一部重なるように編集される。
【００４４】
終了領域111がクリックされると（図６ステップ59でＹＥＳ），終了コマンドが作成者のコンピュータ１からスクラップ・サーバ５に送信される（図６ステップ60）。
【００４５】
スクラップ・ブック・サーバ60において終了コマンドが受信されると（図６ステップ71），記憶されているレイヤ・データを用いてスクラップ・ブック・データが作成される（図６ステップ72）。作成されたスクラップ・ブック・データからスクラップ・ブックに必要な写真のプリント，手順書の出力，パーツ・リストの出力などが行われる（図６ステップ73）。スクラップ・ブックに必要な台紙，写真，飾り画像，素材などがパッケージに梱包されて作成者２の自宅に宅配される。作成者２はパッケージに梱包された部品を用いて手順書を見ながら，シミュレーションで行ったようにしてスクラップ・ブックを作成することができる。
【００４６】
図13は，レイヤ・データの一例である。
【００４７】
このレイヤ・データは，上述したように，ユーザによって選択された一つの部品ごとに生成される。レイヤ・データには注文ＩＤ，レイヤNo.，部品ＩＤ，原画像位置，品種，価格，厚み情報，色処理，形状配置情報および画像情報が含まれている。注文ＩＤは注文を識別するためのもので，注文ごとに付与される。上述したように選択された部品画像が含まれているレイヤが作成され，そのレイヤが重ねられることにより，スクラップ・ブック編集画像が生成されていく。レイヤNo.は，そのレイヤを識別するための番号である。台紙のレイヤNo.は０である。原画像位置は，部品画像が格納されている場所を示す。品種は部品の種類を示す。価格はその部品の使用料金であり，ユーザ画像であればプリント料金が含まれている。厚み情報は，部品の実際の厚みを示す情報である。色処理は，部品に色処理が与えられた場合にその色処理の内容を示すものである。形状配置情報は，部品の配置位置を示す情報である。画像情報は，部品の画像としての画素レベルを示す。
【００４８】
図14は，レイヤ・データによって表される厚み情報によって示される厚み値を示している。
【００４９】
上述したように，部品画像が選択されることによりレイヤが作成される。部品画像135が選択されたことによりレイヤ143が作成されたものとする。部品画像135は，素材の部品を表わす画像であり，実際の素材は厚さ２mmのものが利用されている。このために，レイヤ143において部品画像135の領域は厚み値が２となり，部品画像135以外の領域は厚み値が０となる。このような厚み情報が上述したレイヤ・データに格納されている。
【００５０】
形状位置情報についても厚さ情報と同様に，部品画像135の位置（作成者２によって指定された位置）についての情報を示すものとなり，画像情報についても部品画像135の画素レベル（ＲＧＢについての画素レベルであり，通常は０から255までの256段階によって表される）についての情報を示すものとなる。
【００５１】
図15（Ａ）〜（Ｅ）は，レイヤを示している。上述したように，レイヤ・データによってレイヤを表わすことができる。
【００５２】
（Ａ）を参照して，台紙画像132が選択されることにより，レイヤ140が得られる。（Ｂ）に示すように，ユーザ画像133が選択されることにより，レイヤ141が得られる。レイヤ140上にレイヤ141が重なることにより，図９に示したようにスクラップ・ブック編集画像131が得られる。（Ｃ）に示すように，飾り画像134が選択されることによりレイヤ142が得られ，（Ｄ）に示すように，素材画像135が選択されることによりレイヤ143が得られ，（Ｅ）に示すように飾り画像135が選択されることによりレイヤ144が得られる。これらのレイヤ140から144が重ねられることにより，図12に示したようにスクラップ・ブック編集画像131が得られる。レイヤにおける各部品画像の位置はユーザによって指定される位置となる。
【００５３】
図16は，厚さ検出を示すものである。
【００５４】
レイヤ143とレイヤ144とが重ねられることにより生じる厚さを検出するものとする。レイヤ143および144の厚み値は，レイヤ・データに含まれる厚さ情報によって検出できる。レイヤ143には素材画像135が含まれており，レイヤ144には飾り画像136が含まれている。レイヤ143に含まれている素材画像135の厚み値は２であり，レイヤ144に含まれている飾り画像136の厚み値は１である。レイヤ143と144とを重ねることにより得られる重なり画像145において，素材画像135と飾り画像136とが重なっている部分の厚み値は３となる。重なり画像145をラスタ走査することにより，レイヤ143と144とを重ねた重なり画像145の厚み値が各部分ごとに検出できる。
【００５５】
図17は，厚さ判定処理手順（図４ステップ68）を示すフローチャートである。
【００５６】
上述したように重ねられた各レイヤの厚さ情報が読み取られ（ステップ151），重ねられたレイヤの各部分の厚み値が算出される（ステップ152）。重ねられたレイヤがラスタ走査され（ステップ153），各部分の厚み値が検出される。検出された厚み値の最大値がしきい値以上であれば，図18に示すように，作成者２のコンピュータ１に警告文138が表示されることとなる。
【００５７】
図19は，スクラップ・ブック・データ作成処理手順（図６ステップ72）を示すフローチャートである。スクラップ・ブック・データは，レイヤ・データの集合であり，不要なレイヤ・データが削除されたものである。
【００５８】
まず，レイヤNo.の大きい順にレイヤ・データの形状配置情報が読み取られる（ステップ161）。読み取られた形状配置情報にもとづいて，すべての層のレイヤを重ねて，すべてのレイヤに含まれているすべての部品画像同士で一部でも重ならない部分がある部品画像が含まれているレイヤについては保存フラグがセットされる（ステップ162）。すべて重なってしまうような部品画像については，その部品画像が含まれているレイヤが最上部となるものでない限り保存フラグはセットされない。保存フラグがセットされていないレイヤは削除される。すなわち，保存フラグがセットされていないレイヤに対応するレイヤ・データは削除される。レイヤ・データが削除されることしによりレイヤNo.が連続するように更新される（ステップ164）。
【００５９】
図20（Ａ）はレイヤが重なる様子を示し，図20（Ｂ）は重なっているレイヤを示している。
【００６０】
（Ａ）に示すように，レイヤ144とレイヤ143とが重なることにより，（Ｂ）に示すように，上層のレイヤ144に含まれている部品画像136によって下層のレイヤ142に含まれている部品画像134が完全に隠れるものとする。このように下層のレイヤ142に含まれている部品画像134が上層のレイヤ144に含まれる部品画像136によって完全に隠れる場合には，下層のレイヤ142には保存フラグがセットされずに削除され，レイヤ・データも削除されることとなる。このように部品画像が完全に隠れてしまうようなレイヤ・データについては削除され，残りのレイヤ・データの集まりがスクラップ・ブック・データとなる。スクラップ・ブック・データにしたがって，手順書等が作成される。手順書には，部品がスクラップ・ブックの表面に露出しないような作成手順については記載されないこととなる。また，作成者２に配送されるパッケージにも削除されたレイヤ・データによって特定される部品は含まれないようになる。不要な部品をスクラップ・ブックの作成者に宅配してしまうことを未然に防止できる。
【００６１】
図21は，重なり判定処理手順（図19ステップ162）を示すフローチャートである。
【００６２】
レイヤNo.ｎ（初期値は最大値であり，台紙を除いて選択された部品画像の数に対応する。）の形状配置情報が読み取られる（ステップ71）。後述のように，上層のレイヤにおいて部品画像が存在する画素位置集合Ｓについてはスキップされてラスタ走査が開始される（ステップ172）。
【００６３】
レイヤにおける位置ｘ＝ｍ（０＜ｍ＜Ｍ，Ｍはレイヤにおける画素の最大値）に部品画像が存在するかどうかが確認される（ステップ173）。部品画像が存在すれば，その部品画像が存在するレイヤより上の層のレイヤに含まれている部品画像と重ならない部品画像が含まれていることとなるから，そのレイヤNo.に保存フラグがセットされる（ステップ174）。部品画像が検出された位置ｍがスキップ画素位置集合Ｓに加えられる（ステップ175）。ｘ＝ｍの位置に部品画像が存在しなければ（ステップ173でＮＯ），ステップ174および175の処理はスキップされる。
【００６４】
そのレイヤの最後の位置Ｍまでラスタ走査が行われるように位置ｍがインクレメントされる（ステップ176でＹＥＳ，177）。レイヤNo.が１となるまで，下の下層について重なり判定が繰り返される（ステップ178，179）。
【００６５】
図22は，レイヤが重なっている様子を示している。
【００６６】
部品画像136は上層のレイヤの部品画像であり，部品画像134は下層のレイヤの部品画像である。上層のレイヤに含まれている部品画像136が存在する位置は，上述のように，スキップ画素位置集合Ｓに加えられる。上層のレイヤと下層のレイヤとが重なった場合，下層のレイヤの部品画像134は，スキップ画素位置集合Ｓ内に含まれることとなり，スキップ画素位置集合Ｓをはみ出す位置に部品画像が存在しないこととなる。このために，上述したように，部品画像134が含まれているレイヤ142には保存フラグがセットされずに削除の対象となる。
【００６７】
図23は，手順書の一例である。
【００６８】
上述したように，手順書180はスクラップ・ブックの作成者に宅配されるパッケージに台紙，部品とともに梱包されるものである。作成者は手順書180を見ながら，シミュレーションしたようにスクラップ・ブックを作成する。
【００６９】
手順書180は，スクラップ・ブック・データにもとづいて作成されるものである。スクラップ・ブック・データは，上述したように，複数のレイヤ・データから構成され，かつスクラップ・ブック表面に現れないような部品が貼り付けられるレイヤ・データについては削除されている。したがって，シミュレーションにおいて作成者が行った操作であってもスクラップ・ブック表面に現れない部品を貼り付ける操作については手順書180には記載されていない。手順書180を見ながら，スクラップ・ブックを作成することにより，無駄に部品を貼り付けてしまうことを未然に防止できる。たとえば，シミュレーションにおいては図10に示すように，飾り画像134が台紙画像132に貼り付けられているが，この飾り画像134は図12に示すように飾り画像136によって完全に隠れているので，飾り画像134を貼り付ける手順は手順書180には記載されないようになる。
【００７０】
図24（Ａ）から（Ｄ）は手順書の別の一例を示すものである。
【００７１】
この手順書は画像手順書と呼ばれるもので，図７から図12に示したように作成者２により行われたシミュレーションにおいて順に生成されたスクラップ・ブック画像を，部品が貼り付けられたごとに一枚一枚プリントされたものに類似する。もっとも，スクラップ・ブック画像を部品が貼り付けられたごとに一枚一枚プリントしたそのものを画像手順書としてもよい。
【００７２】
これらの画像手順書もスクラップ・ブック・データを用いて作成することができる。上述したように，スクラップ・ブック・データは複数のレイヤ・データの集まりであり，複数のレイヤ・データの各レイヤ・データによって一枚の画像手順書が作成される。
【００７３】
（Ａ）〜（Ｅ）に示す画像手順書181〜185の左下にはレイヤ・データに含まれているレイヤNo.が記載されている。また，画像手順書に対応する層のレイヤはカラーの部品画像とされているが，その下層のレイヤの部品画像については白黒（輪郭のみで表されてもよい）とされている。たとえば，（Ｃ）に示す画像手順書183では，部品画像134はカラー画像であるが，部品画像133は白黒であり，（Ｄ）に示す画像手順書184では部品画像135はカラー画像であるが，部品画像134および133は白黒画像であり，（Ｅ）に示す画像手順書185では部品画像136はカラー画像であるが，部品画像133〜135は白黒である。下層の部品画像についてはカラー画像でなく，白黒画像で表されているから，どの部品画像に対応する部品を上に貼り付ければよいかが一見して分かる。また，レイヤNo.によりスクラップ・ブックの作成順序もわかる。
【００７４】
図25は，画像手順書作成手順を示すフローチャートである。
【００７５】
上述した画像手順書は，重ねられたレイヤの上層のレイヤに含まれる部品画像はカラーとなり，下層のレイヤに含まれる部品画像は白黒（または輪郭のみ）となる。このために，上層のレイヤに含まれるカラーの部品画像を表わす画像データを一時的に記憶するバッファα（メモリ13の所定の第１のメモリ領域）と白黒の部品画像を表わす画像データを一時的に記憶するバッファβ（メモリ13の所定の第２のメモリ領域）とが規定される。これらのバッファαおよびβが初期化される（ステップ191）。
【００７６】
スクラップ・ブック・データを構成するレイヤ・データのうち，レイヤNo.n(nの初期値は１)のレイヤ・データが読み取られる（ステップ192）。読み取られたレイヤ・データによって特定されるレイヤに含まれている部品画像を表わす画像データが読み取られ，その部品画像について色処理などの画像処理が設定されている場合には画像処理が行われる（ステップ193）。画像処理が行われた画像データがバッファαに格納される（ステップ194）。レイヤNo.１のレイヤは，図15（Ｂ）に示すように台紙のレイヤ140の上層のレイヤ141である。レイヤ140に含まれている部品画像133に画像処理が設定されている場合には，その部品画像133を表わす画像データに画像処理が行われてバッファαに格納されることとなる。
【００７７】
バッファβに格納されている画像データについて白黒処理（または輪郭のみとなるように輪郭化処理）が行われる（ステップ195）。バッファβに格納されている画像データによって表わされる白黒の部品画像がバッファαに格納されている画像データによって表わされる画像処理が行われたカラーの部品画像が含まれているレイヤに合成されてバッファβに格納される（ステップ196）。バッファβに格納されているレイヤにレイヤNo.が合成されてプリント・データに変換される（ステップ197）。このプリント・データによって一枚の画像手順書が得られる。レイヤNo.１のレイヤに格納されている部品画像について画像処理が行われる場合，バッファβには画像データは格納されていない。このために，図24（Ｂ）に示すように，台紙画像に部品画像が貼り付けられた画像手順書が得られる。
【００７８】
レイヤNo.nが最大値となるまで（ステップ198でNO），レイヤNo.がインクレメントされながらステップ192からステップ197の処理が繰り返される。上述の処理が行われるとバッファβには図24（Ｂ）に示すような画像手順書182に対応する重ねられたレイヤが記憶されている。このレイヤに含まれている部品画像133が白黒化(必要であれば，台紙画像132についても白黒化される)され，上層のレイヤに含まれているカラーの部品画像134と合成されて図24（Ｃ）に示す画像手順書183が得られる。以下同様にして，図24（Ｄ）に示すように部品画像135がカラーであり，その他の部品画像133および134は白黒である画像手順書，図24（Ｅ）に示すように部品画像136がカラーであり，その他の部品画像133および135は白黒である画像手順書181〜185が得られることとなる。
【００７９】
上述した画像手順書においては最上層のレイヤに含まれる部品画像がカラー画像であり，下層のレイヤに含まれる部品画像は白黒とされているが，単に図８から図12に示すスクラップ・ブック編集画像をそれぞれプリントしたものを画像手順書としてもよい。
【００８０】
図26および図27は，アフィリエイトの設定についてのもので，図26は作成者２のコンピュータ1の表示画面に表示されるウインドウ，図27はアフィリエイト設定処理手順を示すフローチャートを示している。
【００８１】
上述したスクラップ・ブックを作成者が作成し，その作成したスクラップ・ブックを撮像することにより得られるスクラップ・ブック画像をサイトにアップすることによりアフィリエイトに利用することができる。アフィリエイトでの利用態様を設定するのがアフィリエイト設定である。もっとも，作成されたスクラップ・ブックを撮像して得られるスクラップ・ブック画像を利用せずに，上述したようにシミュレーションにより最終的に得られたスクラップ・ブック編集画像を利用してアフィリエイトでの利用態様を設定するようにしてもよい。
【００８２】
図７から図12に示すウインドウ80に含まれているアフィリエイト設定領域110がクリックされることにより，作成者２のコンピュータ１の表示画面には図26に示すアフィリエイト設定ウインドウ210が表示される。アフィリエイト設定ウインドウ210には公開許可領域211，テンプレート利用許可領域212，カスタマイズ許可領域213，二次利用不許可領域214および終了領域215が含まれている。
【００８３】
公開許可領域211は，スクラップ・ブック編集画像の閲覧を許可するが，スクラップ・ブック編集画像を用いて第三者がスクラップ・ブックのシミュレーションを行うことを許可しない場合に作成者２によってクリックされる。
【００８４】
テンプレート利用許可領域212は，作成者２の写真画像を除いたスクラップ・ブック編集画像を用いてスクラップ・ブックのシミュレーションを行うことを許可する場合に作成者２によってクリックされる。テンプレート利用が許可されている場合には，スクラップ・ブック編集画像から作成者２の写真画像を取り除いて利用者の写真画像を貼り付けることができる。
【００８５】
カスタマイズ許可領域213は，作成者２のスクラップ・ブック編集画像をカスタマイズすることを許可する場合に作成者２によってクリックされる。
【００８６】
二次利用不許可領域215は，作成者２のスクラップ・ブック編集画像を利用した利用者がさらに作成したスクラップ・ブック編集画像に，作成者２が作成した飾り画像が含まれている場合に，その飾り画像を，さらに他の利用者に利用することを許可しない場合に作成者２によってクリックされる。作成者２のスクラップ・ブック編集画像を利用した利用者は，作成者２のスクラップ・ブック編集画像に作成者２が作成した飾り画像が含まれている場合には利用者によるアフィリエイト設定において公開許可のみが設定できることとなる。
【００８７】
図27を参照して，アフィリエイト設定が行われる場合には作成者２によってアフィリエイト設定領域110がクリックされる（ステップ201でＹＥＳ）。すると，作成者２のコンピュータ１の表示画面にはアフィリエイト設定ウインドウが現れる。公開許可領域212がクリックされると（ステップ202でＹＥＳ），公開許可が設定される。テンプレート許可領域212がクリックされると（ステップ203でＹＥＳ），テンプレート許可が設定される。カスタマイズ許可領域213がクリックされると（ステップ204でＹＥＳ），カスタマイズ許可が設定される。二次利用不許可が設定されると（ステップ205でＹＥＳ），二次利用不許可が設定される。設定された内容を示すデータがスクラップ・ブック編集画像に関連付けられる（ステップ206）。たとえば，上述のレイヤ・データに設定内容を示すデータ，フラグが追加される。
【００８８】
終了領域215がクリックされると（ステップ207でＹＥＳ），アフィリエイト設定の終了コマンドが作成者２のコンピュータ１からスクラップ・ブック・サーバ５に送信されることとなる（ステップ208）。
【００８９】
図28から図30は，上述したように，作成者２が作成したスクラップ・ブック画像を利用して，作成者２以外の利用者がスクラップ・ブック作成のためのシミュレーション（スクラップ・ブック編集画像の作成）を行うものである。上述したスクラップ・ブック・データは作成者ごとにスクラップ・ブック・サーバ５に記憶されているのはいうまでもない。
【００９０】
図28は，作成者２である特許太郎さんが作成したスクラップ・ブック編集画像が表示されているサイトの画像（公開ページ）の一例である。
【００９１】
この公開ページ257には，作成者２である特許太郎さんが作成したスクラップ・ブック編集画像のサムネイル画像251のほかに他の作成者が作成したスクラップ・ブック編集画像のサムネイル画像252，253，254，255，256なども含まれている。
【００９２】
これらのサムネイル画像251等は，クリッカブルなものであり，クリックされることにより，それぞれのサムネイル画像251等に対応するスクラップ・ブック編集画像が含まれているサイトにリクエスト・データが送信される。このリクエスト・データがスクラップ・ブック・サーバにおいて受信されると，クリックされたサムネイル画像251等に対応するスクラップ・ブック編集画像が含まれているウインドウが利用者のコンピュータの表示画面に表示される。たとえば，利用者によってサムネイル画像251がクリックされると，利用者のコンピュータの表示画面には図12に示すユーザ・ウインドウ80が表示される。
【００９３】
図29および図30は，利用者のコンピュータとスクラップ・ブック・サーバとの間の処理手順を示すフローチャートである。
【００９４】
利用者のコンピュータによって，公開ページへのアクセス・コマンドがスクラップ・ブック・サーバ５に送信される（ステップ221）。このアクセス・コマンドがスクラップ・ブック・サーバ５において受信されると，公開ページ・データがスクラップ・ブック・サーバ５から利用者のコンピュータに送信される（ステップ231）。
【００９５】
利用者のコンピュータに公開ページ・データが受信されると，図28に示すように公開ページが利用者のコンピュータの表示画面に表示される（ステップ222）。公開ページに含まれているスクラップ・ブック編集画像のサムネイル画像がクリックされると（ステップ223），対応するスクラップ・ブック編集画像のリクエスト・データが利用者のコンピュータからスクラップ・ブック・サーバに送信される（ステップ224）。
【００９６】
利用者のコンピュータから送信されたリクエスト・データがスクラップ・ブック・サーバ５において受信されると，リクエストに対応したスクラップ・ブック編集画像のアフィリエイト設定が確認される。公開が許可されていると（ステップ232でＹＥＳ），閲覧のみが許可され編集できないスクラップ・ブック画像を表わす画像データが利用者に送信されるように設定される（ステップ233）。テンプレート利用許可が設定されていると（ステップ234でＹＥＳ），写真画像を除いたスクラップ・ブック編集画像を表わす画像データが利用者に送信されるように設定される（ステップ235）。カスタマイズ利用許可が設定されていると（ステップ236でＹＥＳ），カスタマイズができるようにスクラップ・ブック編集画像を構成する部品画像の移動，削除等が許可されるスクラップ・ブック編集画像を表わす画像データが利用者に送信されるように設定される（ステップ237）。二次利用不許可が設定されていると（ステップ238でＮＯ），利用者によるアフィリエイト設定が公開以外は許可されないスクラップ・ブック編集画像を表わす編集画像データが利用者に送信されるように設定される（ステップ239）。
【００９７】
設定に応じたスクラップ・ブック編集画像（スクラップ・ブック編集画像）を表わす画像データがスクラップ・ブック・サーバ５から利用者のコンピュータに送信される（ステップ240）。
【００９８】
利用者のコンピュータにおいてスクラップ・ブック編集画像を表わす画像データが受信されると，コンピュータの表示画面には図12に示すようにスクラップ・ブック編集画像が表示されるようになる（ステップ225）。他人である作成者が作成したスクラップ・ブック編集画像を利用してスクラップ・ブック画像の編集等のスクラップ・ブックのシミュレーションを行うことができ，上述のようにスクラップ・ブックを作成するための注文をすることができるようになる（ステップ226）。
【００９９】
利用者がシミュレーションを行い，スクラップ・ブックを作成するための注文が行われる(終了コマンドが送信されると)，スクラップ・ブック編集画像をどのように利用したかを示す利用態様データもスクラップ・ブック・サーバ5に送信される。利用態様データは，スクラップ・ブック編集画像の編集の履歴から作成される。編集履歴は，スクラップ・ブック編集画像の編集が行われるごとに決定領域109がクリックされることにより更新される。編集履歴データが利用態様データとして利用者のクライアント・コンピュータからスクラップ・ブック・サーバ５に送信される。すると，スクラップ・ブック・サーバ5において，利用者の編集履歴がわかるので，スクラップ・ブック・サーバ5において，スクラップ・ブック・サーバ５から送信された作成者のスクラップ・ブック編集画像データによって表わされるスクラップ・ブック編集画像と比較することにより，利用者がどのように他人のスクラップ・ブック編集画像を利用したか検出することができる。また，利用者の最終的に決定されたスクラップ・ブック編集画像とスクラップ・ブック・サーバ５から利用者のクライアント・コンピュータに送信されたスクラップ・ブック編集画像データによって表わされる作成者のスクラップ・ブック編集画像とを比較することにより，利用者が作成者のスクラップ・ブック編集画像を利用したかを検出することもできる。この場合には，利用者のクライアント・コンピュータからスクラップ・ブック・サーバ５に，決定領域109がクリックされるごとに送信される，どの部品画像等が指定されたかを示す識別データが利用態様データとなる。
【０１００】
他人である作成者(もっとも作成者と利用者が同じで自分が作成したスクラップ・ブック編集画像を利用して上述したような編集を行ってもよいのはいうまでもない)が作成したスクラップ・ブック編集画像を利用して編集した場合，上述した手順書も編集内容に応じたものとなる。たとえば，図12に示すようなスクラップ・ブック編集画像131を利用した場合において，写真画像133だけ他の写真画像に変えた場合には写真画像だけが新しいものに変えられたスクラップ・ブックの作成手順を示す手順書が作成される。また，画像手順書は，図24（Ａ）〜（Ｅ）に示すようものにおいて写真画像133が変えられた画像手順書が作成されることとなる。他人が作成したスクラップ・ブック編集画像を利用してスクラップ・ブックの作成シミュレーションをした場合でも，その他人が作成したスクラップ・ブック編集画像の作成手順が含まれた手順書が作成され，利用者に配送されることとなる。他の利用形態で他人が作成したスクラップ・ブック編集画像を利用してスクラップ・ブックの作成シミュレーションが行われた場合も同様に，利用者がスクラップ・ブックを作成できるような手順書が作成されてその利用者に配送されるのは理解されよう。
【０１０１】
図31および図32は，作成者が作成したスクラップ・ブック編集画像を利用してスクラップ・ブックのシミュレーションを行う他の実施例である。図31は，利用者のコンピュータの表示画面に表示されるブログのウインドウを示している。
【０１０２】
ブログのウインドウ270には，上述したように，作成者２の特許太郎さんが作成したスクラップ・ブック編集画像のサムネイル画像271のほかに他の作成者が作成したスクラップ・ブック編集画像のサムネイル画像272，273，274などが含まれている。これらのサムネイル画像272等も上述した公開ページに含まれているサムネイル画像251等と同じでクリッカブルなものである。ブログのウインドウ270を表示するためのデータは，スクラップ・ブック・サーバ５とは別のサーバからクライアント・コンピュータに送信されるものでもよい。
【０１０３】
図32は，図29に対応するもので，利用者のコンピュータとスクラップ・ブック・サーバとの間の処理手順を示すフローチャートである。この図において図29の処理と同じ処理については同一符号を付して説明を省略する。
【０１０４】
ブログにアクセスするためにスクラップ・ブック・サーバにリクエスト・データが送信されると（ステップ261），スクラップ・ブック・サーバ５からはそのブログを表示するためのブログ・データが利用者のコンピュータに送信される（ステップ263）。
【０１０５】
すると，利用者のコンピュータの表示画面に図31に示すようなブログのウインドウ270が表示される（ステップ262）。その後，スクラップ・ブック編集画像のクリックに応じて行われる処理は上述したのと同様である。
【０１０６】
図33および図34は，作成者２が作成したスクラップ・ブック編集画像を利用者が利用した態様に応じて異なるポイントを作成者に与える処理についてのものである。
【０１０７】
図33は，アフィリエイト設定内容とその設定内容に応じたポイントとの関係を示している。
【０１０８】
上述したように，アフィリエイト設定には，公開の可否（許可），テンプレート利用可否，カスタマイズ可否および二次利用可否がある。これらの可否に応じてポイントが決定されるが，これらの可否以外に利用者の注文が成立した場合にも，注文成立にあたり利用されたスクラップ・ブック編集画像の作成者にポイントが与えられる。
【０１０９】
公開許可が設定されたスクラップ・ブック編集画像が利用された場合には，作成者にポイントＰ１が与えられる。テンプレートと利用許可が設定されたスクラップ・ブック編集画像が利用された場合には，作成者にポイントＰ２が与えられる。カスタマイズ許可が設定されたスクラップ・ブック編集画像が利用された場合には，作成者にポイントＰ３が与えられる。二次利用不許可が設定されたスクラップ・ブック編集画像が利用された場合には，作成者にポイントＰ４が与えられる。利用者の注文が成立した場合には作成者にポイントＰ５が与えられる。いずれの場合も設定されていない場合にはポイントは作成者に与えられない。ポイントＰ１〜Ｐ４の大小関係はスクラップ・ブック・サーバ５において変更自在に設定される。
【０１１０】
図34は，ポイント処理手順を示すフローチャートである。
【０１１１】
上述のように，作成者２が作成したスクラップ・ブック編集画像にアクセスがあったか，あるいは，そのスクラップ・ブック編集画像を利用してスクラップ・ブックの注文があったかどうかが確認される（ステップ281）。アクセスまたは注文があると（ステップ282でＹＥＳ），上述したように作成者２からスクラップ・ブック・サーバ５に利用態様データが送信され，利用態様に応じて図33に示したようにしてポイントが算出される（ステップ283）。算出されたポイントが，利用されたスクラップ・ブック編集画像の作成者のユーザ情報に格納される（ステップ283）。ポイント・バック日となると（ステップ284でＹＥＳ），作成者のポイント・システムにポイントが加算される（ステップ285）。作成者のポイント・システムにポイントが加算されたことにより，作成者のユーザ情報からはポイントが消去される（ステップ286）。利用態様に応じたポイントが，その利用されたスクラップ・ブック編集画像の作成者に与えられることとなる。
【図面の簡単な説明】
【０１１２】
【図１】スクラップ・ブック注文システムの概要を示している。
【図２】スクラップ・ブック・サーバの電気的構成を示すブロック図である。
【図３】作成者のコンピュータとスクラップ・ブック・サーバとの間の処理手順を示すフローチャートである。
【図４】作成者のコンピュータとスクラップ・ブック・サーバとの間の処理手順を示すフローチャートである。
【図５】作成者のコンピュータとスクラップ・ブック・サーバとの間の処理手順を示すフローチャートである。
【図６】作成者のコンピュータとスクラップ・ブック・サーバとの間の処理手順を示すフローチャートである。
【図７】コンピュータの表示画面に表示されるウインドウの一例である。
【図８】コンピュータの表示画面に表示されるウインドウの一例である。
【図９】コンピュータの表示画面に表示されるウインドウの一例である。
【図１０】コンピュータの表示画面に表示されるウインドウの一例である。
【図１１】コンピュータの表示画面に表示されるウインドウの一例である。
【図１２】コンピュータの表示画面に表示されるウインドウの一例である。
【図１３】レイヤ・データの一例である。
【図１４】レイヤの厚み情報を示している。
【図１５】（Ａ）から（Ｅ）は，レイヤが重ねられる様子を示している。
【図１６】重ねられたレイヤの厚み情報を示している。
【図１７】厚さ判定処理手順を示すフローチャートである。
【図１８】コンピュータの表示画面に表示されるウインドウの一例である。
【図１９】スクラップ・ブック・データ作成処理手順を示すフローチャートである。
【図２０】（Ａ）は２つの層のレイヤを示し，（Ｂ）は重ねられたレイヤを示している。
【図２１】重なり判定処理手順を示すフローチャートである。
【図２２】レイヤの一例である。
【図２３】手順書の一例である。
【図２４】（Ａ）から（Ｅ）は画像手順書の一例である。
【図２５】画像手順書作成処理手順を示すフローチャートである。
【図２６】コンピュータの表示画面に表示されるウインドウの一例である。
【図２７】アフィリエイト設定処理手順を示すフローチャートである。
【図２８】公開ページの一例である。
【図２９】利用者のコンピュータとスクラップ・ブック・サーバとの間の処理手順を紙面フローチャートである。
【図３０】利用者のコンピュータとスクラップ・ブック・サーバとの間の処理手順を紙面フローチャートである。
【図３１】ブログの一例である。
【図３２】利用者のコンピュータとスクラップ・ブック・サーバとの間の処理手順を紙面フローチャートである。
【図３３】設定されたアフィリエイトの内容とポイントとの対応関係を示している。
【図３４】ポイント処理手順を示すフローチャートである。
【符号の説明】
【０１１３】
１  コンピュータ
２  作成者
５  スクラップ・ブック・サーバ
131  スクラップ・ブック編集画像
132〜136  部品画像
140〜144  レイヤ
180  手順書
【図１】
2008084268.tif 000003
【図２】
2008084268.tif 000004
【図３】
2008084268.tif 000005
【図４】
2008084268.tif 000006
【図５】
2008084268.tif 000007
【図６】
2008084268.tif 000008
【図７】
2008084268.tif 000009
【図８】
2008084268.tif 000010
【図９】
2008084268.tif 000011
【図１０】
2008084268.tif 000012
【図１１】
2008084268.tif 000013
【図１２】
2008084268.tif 000014
【図１３】
2008084268.tif 000015
【図１４】
2008084268.tif 000016
【図１５】
2008084268.tif 000017
【図１６】
2008084268.tif 000018
【図１７】
2008084268.tif 000019
【図１８】
2008084268.tif 000020
【図１９】
2008084268.tif 000021
【図２０】
2008084268.tif 000022
【図２１】
2008084268.tif 000023
【図２２】
2008084268.tif 000024
【図２３】
2008084268.tif 000025
【図２４】
2008084268.tif 000026
【図２５】
2008084268.tif 000027
【図２６】
2008084268.tif 000028
【図２７】
2008084268.tif 000029
【図２８】
2008084268.tif 000030
【図２９】
2008084268.tif 000031
【図３０】
2008084268.tif 000032
【図３１】
2008084268.tif 000033
【図３２】
2008084268.tif 000034
【図３３】
2008084268.tif 000035
【図３４】
2008084268.tif 000036